Podtech/llm-jp-corpus-v4-ja_patent huggingface dataset:
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
表示デバイスを備えるコンピューティングシステムのユーザーを認証するための方法であって、
１つまたは複数の仮想画像を前記表示デバイスで表示するステップであって、拡張現実機能のセットが、前記１つまたは複数の仮想画像と、前記ユーザーの視界内の１つまたは複数の実際のオブジェクトとを含む、ステップと、
前記コンピューティングシステムのセンサから受信されたデータを介して前記ユーザーの１つまたは複数の動きを識別するステップと、
前記ユーザーの識別された前記動きを、ユーザー認証を前記拡張現実機能の所定の順番にリンクする前記ユーザーの認証情報の所定のセットと比較するステップと、
識別された前記動きが、前記ユーザーが前記所定の順番で前記拡張現実機能を選択したことを示すときに、前記ユーザーを認証するステップと、
識別された前記動きが、前記ユーザーが前記所定の順番で前記拡張現実機能を選択しなかったことを示すときに、前記ユーザーを認証しないステップと
を含む方法。
【請求項２】
請求項１に記載の方法であって、前記センサは慣性運動センサを含み、前記データは慣性運動データを含む、方法。
【請求項３】
請求項１に記載の方法であって、前記センサはアイトラッキングセンサシステムを含み、前記データは目の動きのデータを含む、方法。
【請求項４】
請求項１に記載の方法であって、前記拡張現実機能の前記所定の順番は、ユーザー選択である、方法。
【請求項５】
請求項１に記載の方法であって、前記１つまたは複数の仮想画像は、前記ユーザーが認証されるたびに同様の位置で表示される、方法。
【請求項６】
請求項１に記載の方法であって、前記１つまたは複数の仮想画像は、様々な認証セッションで様々な位置に表示される、方法。
【請求項７】
請求項１に記載の方法であって、前記ユーザーの識別された動きが、ある拡張現実機能と関連付けられた動きに一致するときに、前記ユーザーが当該拡張現実機能を選択したという指示を出力するステップをさらに含む方法。
【請求項８】
請求項１に記載の方法であって、前記ユーザーが前記所定の順番で拡張現実機能を選択した信頼度を反映する信頼性スコアを求めるステップをさらに含む方法。
【請求項９】
請求項８に記載の方法であって、前記信頼性スコアが閾値よりも大きいときに、前記ユーザーを認証するステップと、前記信頼性スコアが前記閾値に満たないときに、前記ユーザーを認証しないステップとをさらに含む方法。
【請求項１０】
請求項９に記載の方法であって、前記閾値は、前記ユーザーの位置に基づく、方法。
【請求項１１】
請求項９に記載の方法であって、前記閾値は、拡張現実機能の数に基づき変化する、方法。
【請求項１２】
頭部搭載型ディスプレイデバイスのユーザーを認証するための方法であって、
１つまたは複数の仮想画像を前記頭部搭載型ディスプレイデバイスに表示するステップであって、拡張現実機能のセットが、前記１つまたは複数の仮想画像と、前記ユーザーの視界内の１つまたは複数の実際のオブジェクトとを含む、ステップと、
前記ユーザーの１つまたは複数の動きを、前記頭部搭載型ディスプレイデバイスのセンサを介して識別するステップと、
前記ユーザーの識別された前記動きを、前記拡張現実機能の所定の順番に関連付けられた期待された動きの所定のセットと比較するステップと、
信頼性スコアを識別された前記動きに割り当てるステップであって、前記信頼性スコアは、前記ユーザーが前記所定の順番で前記拡張現実機能を選択したことの、識別された前記動きと期待された動きの前記セットとの間の差に基づく信頼度を反映する、ステップと、
前記信頼性スコアが閾値よりも大きいときに、前記ユーザーを認証するステップと、
前記信頼性スコアが前記閾値に満たないときに、前記ユーザーを認証しないステップと
を含む方法。
【請求項１３】
請求項１２に記載の方法であって、前記センサは、慣性運動センサとアイトラッキングセンサとのうちの一方又は双方を含み、様々な認証セッションで前記仮想画像の位置が変わると、前記期待された動きは変わる、方法。
【請求項１４】
請求項１２に記載の方法であって、前記閾値は、前記ユーザーの位置に基づき、異なる閾値を異なる位置に適用するステップをさらに含む方法。
【請求項１５】
請求項９又は１２に記載の方法であって、前記閾値は、前記ユーザーの前記１つまたは複数の動きを識別する、前記センサの決定された能力に基づく、方法。
【請求項１６】
ディスプレイデバイスと、
プロセッサと、
命令を記憶したストレージデバイスと
を備えたコンピューティングシステムであって、前記命令は、前記プロセッサに、
１つまたは複数の仮想画像を前記ディスプレイデバイスに表示することであって、拡張現実機能のセットが、前記１つまたは複数の仮想画像と、視界内の１つまたは複数の実際のオブジェクトとを含む、ことと、
ユーザーの１つまたは複数の動きを、前記コンピューティングシステムのセンサから受けたデータを介して識別することと、
前記ユーザーの識別された前記動きを、ユーザー認証を前記拡張現実機能の所定の順番にリンクする前記ユーザーの認証情報の所定のセットと比較することと、
識別された前記動きが、前記ユーザーが前記所定の順番で前記拡張現実機能を選択したことを示すときに、前記ユーザーを認証することと、
識別された前記動きが、前記ユーザーが前記所定の順番で前記拡張現実機能を選択しなかったことを示すときに、前記ユーザーを認証しないことと
を行わせる、コンピューティングシステム。
【請求項１７】
請求項１６に記載のコンピューティングシステムであって、前記センサは慣性運動センサを含み、前記データは慣性運動データを含む、コンピューティングシステム。
【請求項１８】
請求項１６に記載のコンピューティングシステムであって、前記センサはアイトラッキングセンサシステムを含み、前記データは目の動きのデータを含む、コンピューティングシステム。
【請求項１９】
請求項１６に記載のコンピューティングシステムであって、前記命令は、前記プロセッサに、前記１つまたは複数の仮想画像を、前記ユーザーが認証されるたびに同様の位置で表示することをさせる、コンピューティングシステム。
【請求項２０】
請求項１６に記載のコンピューティングシステムであって、前記命令は、前記プロセッサに、前記１つまたは複数の仮想画像を、様々な認証セッションで様々な位置に表示することをさせる、コンピューティングシステム。
【手続補正書】
【提出日】平成28年11月14日(2016.11.14)
【手続補正１】
【補正対象書類名】明細書
【補正対象項目名】０００７
【補正方法】変更
【補正の内容】
【０００７】
これに対し本発明は、表示部に表示される操作画面の表示を制御する表示制御装置であって、前記操作画面に含まれる複数の入力項目毎の使用頻度を取得する第１の取得手段と、前記操作画面に対してユーザによる操作がされた操作位置を示す位置情報を取得する第２の取得手段と、前記第１の取得手段により取得された前記複数の入力項目毎の使用頻度と、前記第２の取得手段により取得された位置情報とに基づいて、前記入力項目が表示される表示位置を制御する表示制御手段と、を有することを特徴としている。
【手続補正２】
【補正対象書類名】特許請求の範囲
【補正対象項目名】全文
【補正方法】変更
【補正の内容】
【特許請求の範囲】
【請求項１】
表示部に表示される操作画面の表示を制御する表示制御装置であって、
前記操作画面に含まれる複数の入力項目毎の使用頻度を取得する第１の取得手段と、
前記操作画面に対してユーザによる操作がされた操作位置を示す位置情報を取得する第２の取得手段と、
前記第１の取得手段により取得された前記複数の入力項目毎の使用頻度と、前記第２の取得手段により取得された位置情報とに基づいて、前記入力項目が表示される表示位置を制御する表示制御手段と、を有することを特徴とする表示制御装置。
【請求項２】
前記第２の取得手段は、設定された所定の期間において前記操作画面上でユーザによる操作がされた操作位置を示す位置情報を取得し、
前記表示制御手段は、前記所定の期間に取得された位置情報に基づいて、前記入力項目が表示される表示位置を制御することを特徴とする請求項１に記載の表示制御装置。
【請求項３】
前記表示制御手段は、前記複数の入力項目のうち、入力された回数が第１の入力回数である入力項目の表示位置が、前記第１の入力回数よりも少ない第２の入力回数である入力項目の表示位置よりも前記第２の取得手段で取得した位置情報に対応する位置に近くなるように表示位置を制御することを特徴とする請求項１又は２に記載の表示制御装置。
【請求項４】
前記第２の取得手段は、少なくとも前記入力項目への入力操作とは異なる操作を含む操作が行われたことに応じて前記位置情報を取得することを特徴とする請求項１から３のいずれか１項に記載の表示制御装置。
【請求項５】
前記第２の取得手段は、前記操作画面に対してユーザがクリックする操作またはポインタを移動させる操作のうち少なくともいずれか一方の操作を取得することを特徴とする請求項１から４のいずれか１項に記載の表示制御装置。
【請求項６】
前記第１の取得手段は、前記複数の入力項目毎の利用回数をユーザ毎に取得し、 
前記第２の取得手段は、前記第１の取得手段を取得したユーザと同一のユーザの操作位置を取得し、
前記表示制御手段は、前記複数の入力項目の表示位置をユーザ毎に決定することを特徴とする請求項１から５のいずれか１項に記載の表示制御装置。
【請求項７】
前記表示制御手段は、前記複数の入力項目のうち、設定された一部の入力項目の表示位置のみ制御することを特徴とする請求項１から６のいずれか１項に記載の表示制御装置。
【請求項８】
前記第２の取得手段は、前記操作画面における複数の領域毎の操作位置を示す位置情報を取得し、
前記表示制御手段は、前記複数の領域のうち最も操作回数が多い領域に、前記使用頻度が最も高い入力項目が表示されるように前記入力項目が表示される表示位置を制御することを特徴とする請求項１から７のいずれか１項に記載の表示制御装置。
【請求項９】
前記第１の取得手段により取得された前記複数の入力項目毎の使用頻度と、前記第２の取得手段により取得された位置情報とを対応づけて記憶する記憶手段を更に有することを特徴とする請求項１から８のいずれか１項に記載の表示制御装置。
【請求項１０】
表示部に表示される操作画面の表示を制御する表示制御システムであって、
前記操作画面に含まれる複数の入力項目毎の使用頻度を取得する第１の取得手段と、
前記操作画面に対してユーザによる操作がされた操作位置を示す位置情報を取得する第２の取得手段と、
前記第１の取得手段により取得された前記複数の入力項目毎の使用頻度と、前記第２の取得手段により取得された位置情報とに基づいて、前記入力項目が表示される表示位置を制御する表示制御手段と、を有することを特徴とする表示制御システム。
【請求項１１】
表示部に表示される操作画面の表示を制御する表示制御装置の制御方法であって、
前記操作画面に含まれる複数の入力項目毎の使用頻度を取得する第１の取得工程と、
前記操作画面に対してユーザによる操作がされた操作位置を示す位置情報を取得する第２の取得工程と、
前記第１の取得工程により取得された前記複数の入力項目毎の使用頻度と、前記第２の取得工程により取得された位置情報とに基づいて、前記入力項目が表示される表示位置を制御する表示制御工程と、を有することを特徴とする表示制御装置の制御方法。
【請求項１２】
表示部に表示される操作画面の表示を制御する表示制御装置で実行可能なコンピュータプログラムであって、
前記表示制御装置を、
前記操作画面に含まれる複数の入力項目毎の使用頻度を取得する第１の取得手段と、
前記操作画面に対してユーザによる操作がされた操作位置を示す位置情報を取得する第２の取得手段と、
前記第１の取得手段により取得された前記複数の入力項目毎の使用頻度と、前記第２の取得手段により取得された位置情報とに基づいて、前記入力項目が表示される表示位置を制御する表示制御手段と、
として機能させることを特徴とするコンピュータプログラム。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
ホログラフィック・オブジェクトであって該オブジェクト内に表示される選択情報詳細レベルを有するホログラフィック・オブジェクトを提示するホログラフィック・オブジェクト提示システムであって、
ホログラフィック・オブジェクト提示プログラムを実行するプロセッサーを含む計算デバイス、
を含み、前記ホログラフィック・オブジェクト提示プログラムが、
拡張現実表示プログラムに対し前記ホログラフィック・オブジェクトをデフォルトの情報詳細レベルで提供し、前記ホログラフィック・オブジェクトが、ディスプレイ・デバイスにおいて前記拡張現実表示プログラムにより前記オブジェクト内に表示される前記デフォルトの情報詳細レベルで表示されるように構成され、
ユーザー行動情報を受け取り、
前記ユーザー行動情報とは異なる物理環境情報を受け取り、
前記ユーザー行動情報から興味増加トリガーを検出し、
前記興味増加トリガーを検出したことと前記物理環境情報を受けたことの両方に基づいて、前記ホログラフィック・オブジェクト内に表示される前記選択情報詳細レベルを調節情報詳細レベルに高くし、該調節情報詳細レベルが、前記デフォルトの情報詳細レベルよりもより大きな量の視覚情報を有し、
前記調節情報詳細レベルとした前記ホログラフィック・オブジェクトを、前記拡張現実表示プログラムに供給する、
ように構成されており、前記ホログラフィック・オブジェクトが、前記拡張現実表示プログラムによって前記ディスプレイ・デバイス上に、前記オブジェクト内に表示される前記調節情報詳細レベルで表示されるように構成された、ホログラフィック・オブジェクト提示システム。
【請求項２】
請求項１記載のホログラフィック・オブジェクト提示システムにおいて、前記ユーザー行動情報が、音声認識情報、目追跡情報、頭部姿勢情報、ユーザー動き情報、およびユーザー・ジェスチャー情報の内１つ以上を含む、ホログラフィック・オブジェクト提示システム。
【請求項３】
請求項２記載のホログラフィック・オブジェクト提示システムにおいて、前記ホログラフィック・オブジェクト提示プログラムが、更に、
前記音声認識情報、前記目追跡情報、前記頭部姿勢情報、前記ユーザー動き情報、および前記ユーザー・ジェスチャー情報の内１つ以上において前記興味増加トリガーを検出する、ように構成されている、ホログラフィック・オブジェクト提示プログラム。
【請求項４】
請求項２記載のホログラフィック・オブジェクト提示システムにおいて、前記ユーザー行動情報が前記目追跡情報を含み、前記ホログラフィック・オブジェクト提示プログラムが、更に、
前記目追跡情報において、前記ホログラフィック・オブジェクトに対するユーザーの凝視を検出し、
前記ユーザーの凝視に基づいて、前記ホログラフィック・オブジェクトの前記選択情報詳細レベルを高くする、
ように構成されている、ホログラフィック・オブジェクト提示システム。
【請求項５】
請求項１記載のホログラフィック・オブジェクト提示システムにおいて、前記ディスプレイ・デバイスが、前記計算デバイスに動作可能に接続された頭部装着ディスプレイ・デバイスを含む、ホログラフィック・オブジェクト提示システム。
【請求項６】
ホログラフィック・オブジェクトであって該オブジェクト内に表示される選択情報詳細レベルを有するホログラフィック・オブジェクトを提示する方法であって、
拡張現実表示プログラムに対し前記ホログラフィック・オブジェクトをデフォルトの情報詳細レベルで提供するステップであって、前記ホログラフィック・オブジェクトが、ディスプレイ・デバイスにおいて前記拡張現実表示プログラムにより前記オブジェクト内に表示される前記デフォルトの情報詳細レベルで表示されるように構成された、ステップと、
ユーザー行動情報を受け取るステップと、
前記ユーザー行動情報とは異なる物理環境情報を受け取るステップと、
前記ユーザー行動情報から興味増加トリガーを検出するステップと、
前記興味増加トリガーを検出したことと前記物理環境情報を受けたことの両方に基づいて、前記ホログラフィック・オブジェクト内に表示される前記選択情報詳細レベルを調節情報詳細レベルに高くし、該調節情報詳細レベルが、前記デフォルトの情報詳細レベルよりもより大きな量の視覚情報を有する、ステップと、
前記調節情報詳細レベルとした前記ホログラフィック・オブジェクトを、前記拡張現実表示プログラムに供給するステップであって、前記ホログラフィック・オブジェクトが、前記拡張現実表示プログラムによって前記ディスプレイ・デバイス上に、前記オブジェクト内に表示される前記調節情報詳細レベルで表示されるように構成された、ステップと、
を含む、方法。
【請求項７】
請求項６記載の方法において、前記調節情報詳細レベルが、第１条件に対応する第１調節情報詳細レベルと、第２条件に対応する第２調節情報詳細レベルとを含み、前記方法が、更に、
前記第１条件が満たされたとき、前記第１調節情報詳細レベルで前記ホログラフィック・オブジェクトを供給するステップと、
前記第２条件が満たされたとき、前記第２調節情報詳細レベルで前記ホログラフィック・オブジェクトを供給するステップと、
を含む、方法。
【請求項８】
請求項６記載の方法において、前記ユーザー行動情報が前記目追跡情報を含み、前記方法が、更に、
前記目追跡情報において、ユーザーが前記ホログラフィック・オブジェクトを凝視していることを検出するステップと、
前記ホログラフィック・オブジェクトの前記選択情報詳細レベルを高めるステップと、
を含む、方法。
【請求項９】
請求項６記載の方法において、前記ユーザー行動情報がユーザー・ジェスチャー情報を含み、前記方法が、更に、
前記ユーザー・ジェスチャー情報において、ユーザーが前記ホログラフィック・オブジェクトに向かってジェスチャーを行っていることを検出するステップと、
前記ユーザーが前記ホログラフィック・オブジェクトに向かってジェスチャーを行ったときに、前記ホログラフィック・オブジェクトの前記選択情報詳細レベルを高めるステップと、
を含む、方法。
【請求項１０】
請求項６記載の方法において、前記ユーザー行動情報が音声認識情報を含み、前記方法が、更に、
前記音声認識情報において、声かけを検出するステップと、
前記声かけに基づいて、前記ホログラフィック・オブジェクトの前記選択情報詳細レベルを高めるステップと、
を含む、方法。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
記録媒体に対してクロック信号を出力する出力手段と、
前記記録媒体に命令を送信すると共に、前記クロック信号を遅延させることにより得られたタイミング信号に応じて、前記記録媒体から送信されたデータを受信する通信手段と、
所定のデータ列を有する所定のデータの出力命令を前記記録媒体に送信し、前記出力命令に応じて前記記録媒体から出力された前記所定のデータを受信するように前記通信手段を制御する制御手段であって、前記所定のデータ列を前記通信手段が受信した結果に基づいて前記タイミング信号の遅延量を調整する制御手段とを有し、
前記制御手段は、
第１の範囲の複数の遅延量を有する複数のタイミング信号のそれぞれに応じて前記通信手段が受信した前記所定のデータの受信結果に基づき、前記タイミング信号の遅延量を決定する第１の処理と、
前記第１の範囲よりも狭い第２の範囲の複数の遅延量を有する複数のタイミング信号のそれぞれに応じて前記通信手段が受信した前記所定のデータの受信結果に基づき、前記タイミング信号の遅延量を決定する第２の処理と
を実行することを特徴とする記録再生装置。
【請求項２】
前記制御手段は、前記第１の処理により決定された遅延量を含むように前記第２の範囲を決めることを特徴とする請求項１に記載の記録再生装置。
【請求項３】
前記第２の範囲は、前記記録媒体から送信されるデータの遷移期間よりも大きく設定されることを特徴とする請求項１に記載の記録再生装置。
【請求項４】
前記制御手段は、前記第１の処理において、前記通信手段が受信した前記所定のデータが前記所定のデータ列を有していると判定された場合の遅延量のいずれかを前記遅延量に決定することを特徴とする請求項１に記載の記録再生装置。
【請求項５】
前記制御手段は、
画像データの記録指示に応じて、前記記録媒体に前記画像データの記録コマンドと前記画像データとを送信するように前記通信手段を制御し、
前記記録媒体が前記記録再生装置にマウントされてから前記画像データの記録指示までの間に前記第１の処理を実行し、前記第１の処理の後、前記第２の処理を実行する
ことを特徴とする請求項１に記載の記録再生装置。
【請求項６】
画像データを生成する生成手段を更に備え、
前記制御手段は、前記生成手段が前記画像データを生成している間に前記第２の処理を実行することをさらに特徴とする請求項５に記載の記録再生装置。
【請求項７】
前記制御手段は、前記画像データが前記記録媒体に送信される前に前記第２の処理を実行することをさらに特徴とする請求項６に記載の記録再生装置。 
【請求項８】
前記画像データの記録指示により１画面の前記画像データが記録される場合、前記制御手段は、前記記録指示に応じて前記第１の処理を実行することをさらに特徴とする請求項５から７のいずれか１項に記載の記録再生装置。
【請求項９】
前記記録指示に応じて複数画面の前記画像データが記録される場合、前記制御手段は、前記記録指示に応じて前記第２の処理を実行することを特徴とする請求項８に記載の記録再生装置。
【請求項１０】
前記制御手段は、前記記録指示に応じて記録される複数画面の画像データのうち、２番目以降の画像データを記録する場合に前記第２の処理を実行しないことを特徴とする請求項９に記載の記録再生装置。 
【請求項１１】
前記制御手段は、前記記録再生装置が、電源供給が停止された状態から復帰する場合に、前記第１の処理を実行することを特徴とする請求項１から１０のいずれか１項に記載の記録再生装置。
【請求項１２】
前記制御手段は、前記記録再生装置が、消費電力が制限された省電力状態から復帰する場合に、前記第２の処理を実行することを特徴とする請求項１から１１のいずれか１項に記載の記録再生装置。
【請求項１３】
記録媒体に対してクロック信号を出力する出力手段と、
前記記録媒体に命令を送信すると共に、前記クロック信号を遅延させることにより得られたタイミング信号に応じて、前記記録媒体から送信されたデータを受信する通信手段と、
所定のデータ列を有する所定のデータの出力命令を前記記録媒体に送信し、前記出力命令に応じて前記記録媒体から出力された前記所定のデータを受信するように前記通信手段を制御する制御手段であって、前記所定のデータ列を前記通信手段が受信した結果に基づいて前記タイミング信号の遅延量を調整する制御手段と
を有する記録再生装置の制御方法であって、
前記制御手段が、第１の範囲の複数の遅延量を有する複数のタイミング信号のそれぞれに応じて前記通信手段が受信した前記所定のデータの受信結果に基づき、前記タイミング信号の遅延量を決定する第１の処理を実行する工程と、
前記制御手段が、前記第１の範囲よりも狭い第２の範囲の複数の遅延量を有する複数のタイミング信号のそれぞれに応じて前記通信手段が受信した前記所定のデータの受信結果に基づき、前記タイミング信号の遅延量を決定する第２の処理とを実行する工程と
を有することを特徴とする記録再生装置の制御方法。
【請求項１４】
コンピュータを請求項１から１２のいずれか１項に記載の記録再生装置の各手段として機能させるためのプログラム。
【手続補正２】
【補正対象書類名】明細書
【補正対象項目名】０００７
【補正方法】変更
【補正の内容】
【０００７】
上記課題を解決するための本発明は、記録再生装置であって、
記録媒体に対してクロック信号を出力する出力手段と、
前記記録媒体に命令を送信すると共に、前記クロック信号を遅延させることにより得られたタイミング信号に応じて、前記記録媒体から送信されたデータを受信する通信手段と、
所定のデータ列を有する所定のデータの出力命令を前記記録媒体に送信し、前記出力命令に応じて前記記録媒体から出力された前記所定のデータを受信するように前記通信手段を制御する制御手段であって、前記所定のデータ列を前記通信手段が受信した結果に基づいて前記タイミング信号の遅延量を調整する制御手段とを有し、
前記制御手段は、
第１の範囲の複数の遅延量を有する複数のタイミング信号のそれぞれに応じて前記通信手段が受信した前記所定のデータの受信結果に基づき、前記タイミング信号の遅延量を決定する第１の処理と、
前記第１の範囲よりも狭い第２の範囲の複数の遅延量を有する複数のタイミング信号のそれぞれに応じて前記通信手段が受信した前記所定のデータの受信結果に基づき、前記タイミング信号の遅延量を決定する第２の処理とを実行する。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ディスプレイデバイスにおいて、照明効果を備えた拡張現実画像を表示する方法であって、
前記ディスプレイデバイスの局所的な環境の画像を撮影した画像データを受け取るステップと、
前記画像データを介して前記局所的な環境の物理的表面を識別するステップと、
前記物理的表面の上に前記物理的表面と空間的に位置合わせした状態で表示するための仮想構造の拡張現実画像を構築するステップであって、前記構築は、前記仮想構造の第１のモジュール型拡張現実画像セグメントの拡大縮小、回転、分断、及び変形のうちの１又は複数によって前記第１のモジュール型拡張現実画像セグメントを前記表面の幾何学的構造に基づいて前記表面にフィットさせ、次いで、前記仮想構造の見た目を形作るように前記第１のモジュール型拡張現実画像セグメントに隣接して前記仮想構造の第２のモジュール型拡張現実画像セグメントを配置することにより行われ、それぞれのモジュール型拡張現実画像セグメントは、事前計算された照明効果を備えると共に前記仮想構造の一部分の見た目を有する、ステップと、
前記拡張現実画像を前記ディスプレイデバイスへ出力するステップと、
を含む方法。
【請求項２】
前記局所的な環境の物理的表面を識別する前記ステップは、前記局所的な環境のメッシュ分析を実施するステップを含む、請求項１に記載の方法。
【請求項３】
前記物理的表面は、壁及び天井のうちの１又は複数を含む、請求項１に記載の方法。
【請求項４】
前記事前計算された照明効果は、事前計算された指向性のある照明効果を含む、請求項１に記載の方法。
【請求項５】
前記事前計算された照明効果は、事前計算された放射輝度伝達関数を含む、請求項１に記載の方法。
【請求項６】
前記画像データを介して前記局所的な環境の照明特性を識別するステップと、前記局所的な環境の前記照明特性に基づいて前記第１及び第２のモジュール型拡張現実画像セグメントの見た目を調整するステップと、を更に含む、請求項１に記載の方法。
【請求項７】
前記照明特性は、前記局所的な環境の色特性を含み、前記第１及び第２のモジュール型拡張現実画像セグメントの見た目を調整する前記ステップは、前記第１及び第２のモジュール型拡張現実画像セグメントに前記色特性を添えるステップを含む、請求項６に記載の方法。
【請求項８】
前記照明特性は、前記局所的な環境における物理的な照明の位置を含み、前記第１及び第２のモジュール型拡張現実画像セグメントの見た目を調整する前記ステップは、前記物理的な照明の位置にある仮想的な点照明から生じる照明効果を計算するステップを含む、請求項６に記載の方法。
【請求項９】
前記仮想構造の拡張現実画像を構築する前記ステップは、局所的な照明特性を識別するステップと、同様の事前計算された照明効果を有するように決定された一組のモジュール型拡張現実画像セグメントを選択するステップと、を含む、請求項１に記載の方法。
【請求項１０】
前記仮想構造の拡張現実画像を構築する前記ステップは、隣接するモジュール型拡張現実画像セグメントを選択するための接続性制約条件を適用するステップを含む、請求項１に記載の方法。
【請求項１１】
コンピューティングデバイスであって、
シースルー・ディスプレイデバイスと、
画像センサーと、
論理サブシステムと、
命令が格納された記憶サブシステムと、を備え、
前記命令は、前記論理サブシステムによって、
前記コンピューティングデバイスの局所的な環境の画像を撮影した画像データを、前記画像センサーを介して取得するステップと、
前記画像データを介して前記局所的な環境の物理的表面を識別するステップと、
前記物理的表面と空間的に位置合わせした状態で前記物理的表面の上に前記シースルー・ディスプレイデバイスによって表示するための、仮想構造の拡張現実画像を構築するステップであって、前記構築は、前記仮想構造の第１のモジュール型拡張現実画像セグメントの拡大縮小、回転、分断、及び変形のうちの１又は複数によって前記第１のモジュール型拡張現実画像セグメントを前記表面の幾何学的構造に基づいて前記表面にフィットさせ、次いで、前記仮想構造の見た目を形作るように前記第１のモジュール型拡張現実画像セグメントに隣接して前記仮想構造の第２のモジュール型拡張現実画像セグメントを配置することにより行われ、それぞれのモジュール型拡張現実画像セグメントは、事前計算された照明効果を備えると共に前記仮想構造の一部分の見た目を有する、ステップと、
前記拡張現実画像を前記シースルー・ディスプレイデバイスへ出力するステップと、
を実施するように実行可能である、コンピューティングデバイス。
【手続補正書】
【提出日】平成29年11月2日(2017.11.2)
【手続補正１】
【補正対象書類名】明細書
【補正対象項目名】発明の名称
【補正方法】変更
【補正の内容】
【発明の名称】蓄電装置
【手続補正２】
【補正対象書類名】特許請求の範囲
【補正対象項目名】全文
【補正方法】変更
【補正の内容】
【特許請求の範囲】
【請求項１】
電解液と負極とを有し、
前記電解液はイオン液体とリチウム塩とを有し、
前記負極は集電体と前記集電体上の活物質層とを有し、
前記活物質層は粒状の活物質と導電助剤とを有し、
前記導電助剤はグラフェンであり、
前記粒状の活物質はシリコンを有し、
前記粒状の活物質の粒径は０．００１μｍ以上７μｍ以下である蓄電装置。
【請求項２】
請求項１において、
前記粒状の活物質の抵抗率は１０−４Ω・ｃｍ以上５０Ω・ｃｍ以下である蓄電装置。
【請求項３】
請求項１または請求項２において、
前記導電助剤の重量は前記粒状の活物質の重量の３０％以下である蓄電装置。
【請求項４】
請求項１乃至請求項３のいずれか一項において、
前記粒状の活物質はリンまたはホウ素を有する蓄電装置。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
第１の絶縁体で覆われた電極であり、
前記第１の絶縁体は袋状または筒状の形状を有し、
前記電極は活物質および第１の膜を有し、
前記活物質は前記第１の膜で少なくとも一部が覆われ、
前記第１の膜は電解液中のキャリアイオンを通過させ、かつ電解液の溶媒を通過させないことを特徴とする電極。
【請求項２】
第１の絶縁体で覆われた電極であり、
前記第１の絶縁体は袋状または筒状の形状を有し、
前記電極は活物質および第２の絶縁体を有し、
前記第２の絶縁体は袋状または筒状の形状を有し、
前記活物質は前記第２の絶縁体で覆われ、
前記第２の絶縁体は電解液中のキャリアイオンを通過させ、かつ電解液の溶媒は通過させないことを特徴とする電極。
【請求項３】
請求項１又は請求項２に記載の電極を有する蓄電装置。
【請求項４】
請求項３に記載の蓄電装置を搭載した電子機器。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
正極と、負極と、電解液と、第１のセパレータと、第２のセパレータとを有し、
前記第１のセパレータ及び前記第２のセパレータは、前記正極と前記負極との間に設けられており、
前記第１のセパレータは複数の第１の孔を有し、
前記第２のセパレータは複数の第２の孔を有し、
前記第１の孔は、前記第２の孔よりも小さい非水系二次電池。
【請求項２】
前記第１のセパレータの厚さは、前記第２のセパレータの厚さよりも小さい請求項１に記載の非水系二次電池。
【請求項３】
応力が生じたときに、前記第１のセパレータと前記第２のセパレータとは摺動する請求項１又は請求項２に記載の非水系二次電池。
【請求項４】
正極と、負極と、電解液と、第１のセパレータと、第２のセパレータと、第３のセパレータとを有し、
前記第１のセパレータは、前記正極と前記負極との間に設けられ、
前記第２のセパレータは、前記第１のセパレータと前記正極との間に設けられ、
前記第３のセパレータは、前記第１のセパレータと前記負極との間に設けられ、
前記第１のセパレータは複数の第１の孔を有し、
前記第２のセパレータは複数の第２の孔を有し、
前記第３のセパレータは複数の第３の孔を有し、
前記第１の孔は、前記第２の孔及び前記第３の孔よりも大きい非水系二次電池。
【請求項５】
前記第１のセパレータの厚さは、前記第２のセパレータの厚さ及び前記第３のセパレータの厚さよりも大きい請求項４に記載の非水系二次電池。
【請求項６】
応力が生じたときに、前記第１のセパレータと前記第２のセパレータとの界面及び前記第１のセパレータと前記第３のセパレータとの界面において、前記第１乃至前記第３のセパレータは摺動する請求項４又は請求項５に記載の非水系二次電池。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
第１のシャフトを介して複数設けられる搬送ローラによって基板を搬送する搬送部を備え、
前記搬送部は、搬送される前記基板に向けて液体を噴射する噴射部に対し、前記基板の搬送経路を介して対向する位置に設けられ、搬送される前記基板に接触する接触ローラを具備し、
前記接触ローラは第２のシャフトを介して回転可能に支持ブロックに設けられており、
前記支持ブロックは、前記第１のシャフトを回転可能に保持する支持壁に、前記支持ブロックの下面と前記支持壁の上面との離間距離を調整する調整部材及び前記支持ブロックの水平面方向への移動を規制する規制部材を介して設けられることを特徴とする基板搬送装置。
【請求項２】
前記搬送部は、前記基板が複数枚並行して搬送されるよう複数の搬送路を形成し、
前記複数の搬送路それぞれにおいて、前記接触ローラを備え、
前記接触ローラはすべてが前記第２のシャフトを介して前記支持ブロックに設けられていることを特徴とする請求項１に記載の基板搬送装置。
【請求項３】
第１のシャフトを介して複数設けられる搬送ローラによって基板を搬送する搬送部と、
前記搬送部により搬送される前記基板に向けて液体を噴射する噴射部と、
を備え、
前記搬送部は、前記噴射部に対し、前記基板の搬送経路を介して対向する位置に設けられ、搬送される前記基板に接触する接触ローラを具備し、
前記接触ローラは第２のシャフトを介して回転可能に支持ブロックに設けられており、
前記支持ブロックは、前記第１のシャフトを回転可能に保持する支持壁に、前記支持ブロックの下面と前記支持壁の上面との離間距離を調整する調整部材及び前記支持ブロックの水平面方向への移動を規制する規制部材を介して設けられることを特徴とする基板処理装置。
【請求項４】
前記搬送部は、前記基板を複数枚並行して搬送されるよう複数の搬送路を形成し、
前記複数の搬送路それぞれにおいて、前記接触ローラを備え、
前記接触ローラはすべてが第２のシャフトを介して前記支持ブロックに設けられていることを特徴とする請求項３に記載の基板処理装置。
【請求項５】
前記搬送部により搬送される前記基板を処理液が供給されたブラシローラによってブラッシングする処理部と、
前記搬送部により搬送される前記基板に向けてリンス液を放出する洗浄部と、
前記搬送部により搬送される前記基板に向けて気体を放出する乾燥部と、
をさらに備えることを特徴とする請求項３または４に記載の基板処理装置。
【手続補正２】
【補正対象書類名】明細書
【補正対象項目名】０００６
【補正方法】変更
【補正の内容】
【０００６】
実施形態に係る基板搬送装置は、第１のシャフトを介して複数設けられる搬送ローラによって基板を搬送する搬送部を備え、前記搬送部は、搬送される前記基板に向けて液体を噴射する噴射部に対し、前記基板の搬送経路を介して対向する位置に設けられ、搬送される前記基板に接触する接触ローラを具備し、前記接触ローラは第２のシャフトを介して回転可能に支持ブロックに設けられており、前記支持ブロックは、前記第１のシャフトを回転可能に保持する支持壁に、前記支持ブロックの下面と前記支持壁の上面との離間距離を調整する調整部材及び前記支持ブロックの水平面方向への移動を規制する規制部材を介して設けられることを特徴とする。
【手続補正３】
【補正対象書類名】明細書
【補正対象項目名】０００７
【補正方法】変更
【補正の内容】
【０００７】
実施形態に係る基板処理装置は、第１のシャフトを介して複数設けられる搬送ローラによって基板を搬送する搬送部と、前記搬送部により搬送される前記基板に向けて液体を噴射する噴射部と、を備え、前記搬送部は、前記噴射部に対し、前記基板の搬送経路を介して対向する位置に設けられ、搬送される前記基板に接触する接触ローラを具備し、前記接触ローラは第２のシャフトを介して回転可能に支持ブロックに設けられており、前記支持ブロックは、前記第１のシャフトを回転可能に保持する支持壁に、前記支持ブロックの下面と前記支持壁の上面との離間距離を調整する調整部材及び前記支持ブロックの水平面方向への移動を規制する規制部材を介して設けられることを特徴とする。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
第１の電極パッドが表面に形成された第１のプリント配線板と、第２の電極パッドが表面に形成された第２のプリント配線板とを有し、はんだにより前記第１の電極パッドと前記第２の電極パッドとを接合したプリント回路板の製造方法において、
前記第２のプリント配線板には、前記第２の電極パッド上の外縁部がソルダーレジストに覆われている第１の領域と、前記第２の電極パッド上のソルダーレジストにより覆われていない第２の領域と、前記第２の領域と隣接する前記第２の電極パッド外周領域のうち、ソルダーレジストにより覆われていない第３の領域とが形成されており、
はんだペーストを前記第２の領域と前記第３の領域とにまたがる領域に供給し、前記第１のプリント配線板の前記第１の電極パッドが、前記第２のプリント配線板の前記第２の電極パッドと対向するように、前記第１のプリント配線板を前記第２のプリント配線板上に搭載し、加熱により前記はんだペーストを溶融させるとともに、溶融したはんだを前記第３の領域から前記第２の領域に向けて移動させることで、前記第１の電極パッドと前記第２の電極パッドを接合することを特徴とする、プリント回路板の製造方法。
【請求項２】
前記第１のプリント配線板は、半導体パッケージであることを特徴とする、請求項１に記載のプリント回路板の製造方法。
【請求項３】
前記第１のプリント配線板は、前記第１の電極パッドの外縁部がソルダーレジストに覆われていることを特徴とする、請求項１または２に記載のプリント回路板の製造方法。
【請求項４】
前記第２の領域の面積に対して、前記第２の領域の面積に対する、前記第２の領域の中のはんだペーストが供給されていない領域の面積の比率が20％以上95％以下であることを特徴とする、請求項１乃至３のいずれか１項に記載のプリント回路板の製造方法。
【請求項５】
第１の電極パッドが表面に形成された第１のプリント配線板と、第２の電極パッドが表面に形成された第２のプリント配線板とを有し、はんだにより前記第１の電極パッドと前記第２の電極パッドとを接合したプリント回路板において、
前記第２のプリント配線板の前記第２の電極パッド上の外縁部がソルダーレジストに覆われている第１の領域と、前記第２の電極パッド上のソルダーレジストにより覆われていない第２の領域と、前記第２の領域と隣接する前記第２の電極パッド外周領域のうち、ソルダーレジストにより覆われていない第３の領域とが形成されていることを特徴とする、プリント回路板。
【請求項６】
前記第１のプリント配線板は、半導体パッケージであることを特徴とする、請求項５に記載のプリント回路板。
【請求項７】
前記第１のプリント配線板の前記第１の電極パッドの外縁部はソルダーレジストに覆われており、前記第１の電極パッドと前記第２の電極パッドの間隔は20μｍ以上110μｍ以下であることを特徴とする、請求項５または６に記載のプリント回路板。
【請求項８】
前記第２のプリント配線板には複数の第２の電極パッドが形成されており、前記第２の電極パッドに対応して形成された前記第２の領域および前記第３の領域は、全て対応する前記第２の電極パッドから同じ方向に形成されていることを特徴とする、請求項５乃至７のいずれか１項に記載のプリント回路板。
【請求項９】
複数の第１の電極パッドが表面に形成された第１のプリント配線板と、複数の第２の電極パッドが表面に形成された第２のプリント配線板とを有し、はんだにより前記第１の電極パッドと前記第２の電極パッドとを接合したプリント回路板において、
前記第１の電極パッドには電気信号用の電極パッドと、該電気信号用の電極パッドの外周領域に設けられた補強用の電極パッドを含んでおり、前記第２の電極パッドには電気信号用の電極パッドと、該電気信号用の電極パッドの外周領域に設けられた補強用の電極パッドを含んでおり、
前記第２の電極パッドのうちの補強用の電極パッドには、前記補強用の電極パッド上の外縁部がソルダーレジストに覆われている第１の領域と、前記補強用の電極パッド上のソルダーレジストにより覆われていない第２の領域と、前記第２の領域と隣接する前記補強用の電極パッドの外周領域のうち、ソルダーレジストにより覆われていない第３の領域とが形成されていることを特徴とする、プリント回路板。
【請求項１０】
前記補強用の電極パッドの面積は、前記電気信号用の電極パッドの面積よりも大きいことを特徴とする、請求項９に記載のプリント回路板。
【請求項１１】
請求項５乃至１０のいずれか１項に記載のプリント回路板を備えた電子機器。
【手続補正書】
【提出日】平成28年12月16日(2016.12.16)
【手続補正１】
【補正対象書類名】特許請求の範囲
【補正対象項目名】請求項４
【補正方法】変更
【補正の内容】
【請求項４】
前記情報処理装置には、前記情報処理装置を使用可能なユーザをそれぞれが含む複数のユーザグループが登録され、登録された各ユーザグループに対して、前記複数の機能のそれぞれについての使用権限が設定されており、
前記第１及び第２のユーザは、前記複数のユーザグループのうちの第１及び第２のユーザグループにそれぞれ属するように設定される
ことを特徴とする請求項１から３のいずれか１項に記載の情報処理装置。
【手続補正２】
【補正対象書類名】明細書
【補正対象項目名】００２８
【補正方法】変更
【補正の内容】
【００２８】
送信処理部３０３は、送信に関する機能を提供する。例えば、送信処理部３０３は、スキャナＩ／Ｆ２０７を介してスキャナ２１１を制御し、スキャナ２１１によって得られたスキャンデータを、ネットワークＩ／Ｆ２０８を介してＬＡＮ１００へ送信することで、外部装置へスキャンデータの送信を行う。また、送信処理部３０３は、送信画面６００（図６）を操作部２０９に表示する。
【手続補正３】
【補正対象書類名】明細書
【補正対象項目名】００２９
【補正方法】変更
【補正の内容】
【００２９】
認証処理部３０４は、ＭＦＰ１０１を使用するユーザを認証する機能を提供する。認証処理部３０４は、認証画面７００（図７）を操作部２０９に表示する。認証処理部３０４は、ユーザによって認証画面７００を介して入力された情報と、ユーザＤＢ３０６に格納されている情報とを照合することで、ユーザ認証を行う。なお、本実施形態では、認証処理部３０４はＭＦＰ１０１内に設けられているが、認証サーバ１０２内に設けられてもよい。その場合には、ユーザＤＢ３０６も認証サーバ１０２内に設けられてもよい。
【手続補正４】
【補正対象書類名】明細書
【補正対象項目名】００６６
【補正方法】変更
【補正の内容】
【００６６】
例えば、Ｓ１０６で、図１２に示す「ユーザ１」としてユーザ認証に成功した（即ち、ログインユーザが「ユーザ１」である）場合を想定する。この場合、ユーザ情報テーブル１２００及びロール情報テーブル１３００から、自動ログインユーザが属するロールは「ロール１」であり、「ロール１」についてはコピー機能の使用が許可されている。一方、「ユーザ１」が属するロールは「ロール２」であり、「ロール２」についてはコピー機能の使用が禁止されている。このため、Ｓ１０９では、ＣＰＵ２０１が、自動ログインユーザに使用が許可されている機能のうちでログインユーザ（「ユーザ１」）に使用が許可されていない機能が存在すると判定する結果となる。即ち、ログインユーザの使用権限には、自動ログインユーザの使用権限よりも低いものが存在する。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
第１の情報及び第２の情報を共に表示する第１の表示モードと、前記第１の情報及び前記第２の情報のいずれか一方を表示する第２の表示モードと、を切り替えて表示する表示部と、
他の電子機器と接続されていることを検知する検知部と、
前記他の電子機器と接続されている場合、前記第２の表示モードで前記表示部に情報を表示させ、前記他の電子機器と接続されていない場合、前記第１の表示モードで前記表示部に情報を表示させる表示制御部と、を備えることを特徴とする表示装置。
【請求項２】
前記第１の表示モードから前記第２の表示モードに切り替えられたとき、前記表示部に表示されていない前記第１の情報または前記第２の情報を、前記他の電子機器に送信する送信部をさらに備え、
前記他の電子機器は、送信された情報を表示することを特徴とする請求項１に記載の表示装置。
【請求項３】
前記第１の表示モードと前記第２の表示モードを切り替えるモード切替操作部をさらに備え、
前記表示制御部は、前記他の電子機器との接続状態に関わらず、前記他の電子機器とペアリングされた状態で、前記モード切替操作部の操作が行われた場合、表示モードの切り替えを行うことを特徴とする請求項２に記載の表示装置。
【請求項４】
前記表示部は、タッチパネルであり、
前記モード切替操作部の操作は、複数本の指で行うフリック操作、前記表示部の所定位置を起点とするフリック操作、曲線移動を伴うフリック操作のいずれかであることを特徴とする請求項３に記載の表示装置。
【請求項５】
前記第１の情報または前記第２の情報に対する操作を行う情報操作部をさらに備え、
前記送信部は、前記他の電子機器に情報を送信した後、前記情報操作部による操作が行われた場合、その操作信号を前記他の電子機器に送信することを特徴とする請求項２ないし４のいずれか１項に記載の表示装置。
【請求項６】
前記他の電子機器において、前記送信部により送信された情報に対する操作が行われた場合、その操作信号を当該他の電子機器から受信する受信部をさらに備え、
前記受信部で受信した操作信号は、前記情報操作部による操作信号と同等に扱うことを特徴とする請求項５に記載の表示装置。
【請求項７】
前記第１の情報がメイン画面であり、前記第２の情報がサブ画面である場合、
前記第１の表示モードから前記第２の表示モードに切り替えられたとき、
前記表示制御部は、前記第１の情報を前記表示部に表示し、
前記送信部は、前記第２の情報を前記他の電子機器に送信することを特徴とする請求項２ないし６のいずれか１項に記載の表示装置。
【請求項８】
前記第２の情報は、自装置に組み込まれたウィジェットのランチャーであることを特徴とする請求項７に記載の表示装置。
【請求項９】
前記第１の情報および前記第２の情報のいずれをメイン画面とするか、若しくは前記第１の情報および前記第２の情報のいずれをサブ画面とするかを指定する画面指定部をさらに備え、
前記第１の表示モードから前記第２の表示モードに切り替えられたとき、
前記表示制御部は、前記メイン画面を前記表示部に表示し、
前記送信部は、前記サブ画面を前記他の電子機器に送信することを特徴とする請求項２ないし６のいずれか１項に記載の表示装置。
【請求項１０】
前記第１の情報は、ナビゲーション画面であり、
前記第２の情報は、オーディオ操作画面または映像表示画面であることを特徴とする請求項９に記載の表示装置。
【請求項１１】
請求項１ないし１０のいずれか１項に記載の表示装置と、前記他の電子機器と、が通信可能に構成されたことを特徴とする表示連携システム。
【請求項１２】
第１の情報及び第２の情報を共に表示する第１の表示モードと、前記第１の情報及び前記第２の情報のいずれか一方を表示する第２の表示モードと、を切り替えて表示する表示部を備えた表示装置の制御方法であって、
他の電子機器と接続されていることを検知する検知ステップと、
前記他の電子機器と接続されている場合、前記第２の表示モードで表示させ、前記他の電子機器と接続されていない場合、前記第１の表示モードで表示させる表示制御ステップと、を実行することを特徴とする表示装置の制御方法。
【請求項１３】
コンピューターに、請求項１２に記載の表示装置の制御方法における各ステップを実行させるためのプログラム。
【手続補正２】
【補正対象書類名】明細書
【補正対象項目名】０００６
【補正方法】変更
【補正の内容】
【０００６】
本発明の表示装置は、第１の情報及び第２の情報を共に表示する第１の表示モードと、第１の情報及び第２の情報のいずれか一方を表示する第２の表示モードと、を切り替えて表示する表示部と、他の電子機器と接続されていることを検知する検知部と、他の電子機器と接続されている場合、第２の表示モードで表示部に情報を表示させ、他の電子機器と接続されていない場合、第１の表示モードで表示部に情報を表示させる表示制御部と、を備えることを特徴とする。
【手続補正３】
【補正対象書類名】明細書
【補正対象項目名】０００８
【補正方法】変更
【補正の内容】
【０００８】
上記の表示装置において、第１の表示モードと第２の表示モードを切り替えるモード切替操作部をさらに備え、表示制御部は、他の電子機器との接続状態に関わらず、他の電子機器とペアリングされた状態で、モード切替操作部の操作が行われた場合、表示モードの切り替えを行うことを特徴とする。
【手続補正４】
【補正対象書類名】明細書
【補正対象項目名】００１７
【補正方法】変更
【補正の内容】
【００１７】
本発明の表示装置の制御方法は、第１の情報及び第２の情報を共に表示する第１の表示モードと、第１の情報及び第２の情報のいずれか一方を表示する第２の表示モードと、を切り替えて表示する表示部を備えた表示装置の制御方法であって、他の電子機器と接続されていることを検知する検知ステップと、他の電子機器と接続されている場合、第２の表示モードで表示させ、他の電子機器と接続されていない場合、第１の表示モードで表示させる表示制御ステップと、を実行することを特徴とする。
【手続補正書】
【提出日】平成28年11月18日(2016.11.18)
【手続補正１】
【補正対象書類名】明細書
【補正対象項目名】発明の名称
【補正方法】変更
【補正の内容】
【発明の名称】管理装置及びプログラム
【手続補正２】
【補正対象書類名】明細書
【補正対象項目名】０００１
【補正方法】変更
【補正の内容】
【０００１】
本発明は、管理装置及びプログラムに関する。
【手続補正３】
【補正対象書類名】明細書
【補正対象項目名】０００５
【補正方法】変更
【補正の内容】
【０００５】
本発明の課題は、服用すべき薬を容易に確認できるようにすることである。
【手続補正４】
【補正対象書類名】明細書
【補正対象項目名】０００６
【補正方法】変更
【補正の内容】
【０００６】
上述した課題を解決するために本発明に係る管理装置は、予め登録されている服用スケジュールに基づいて所定のタイミングで該タイミングに対応した時間にユーザが服用すべき薬を示す第１画像を、所定の撮像指示情報とともに表示させる表示制御手段と、前記表示制御手段により表示された撮像指示情報に応じて撮像されることにより取得された第２画像に基づいて前記服用対象としている薬が服用すべき薬か否かを判定する判定手段と、を備えたことを特徴とする。
【手続補正５】
【補正対象書類名】明細書
【補正対象項目名】０００７
【補正方法】変更
【補正の内容】
【０００７】
また、本発明に係るプログラムは、コンピュータを、予め登録されている服用スケジュールに基づいて所定のタイミングで該タイミングに対応した時間にユーザが服用すべき薬を示す第１画像を、所定の撮像指示情報とともに表示させる表示制御手段、前記表示制御手段により表示された撮像指示情報に応じて撮像されることにより取得された第２画像に基づいて前記服用対象としている薬が服用すべき薬か否かを判定する判定手段、として機能させることを特徴とする。
【手続補正６】
【補正対象書類名】明細書
【補正対象項目名】０００８
【補正方法】変更
【補正の内容】
【０００８】
本発明によれば、服用すべき薬を容易に確認できるようになる。
【手続補正７】
【補正対象書類名】特許請求の範囲
【補正対象項目名】全文
【補正方法】変更
【補正の内容】
【特許請求の範囲】
【請求項１】
予め登録されている服用スケジュールに基づいて所定のタイミングで該タイミングに対応した時間にユーザが服用すべき薬を示す第１画像を、所定の撮像指示情報とともに表示させる表示制御手段と、
前記表示制御手段により表示された撮像指示情報に応じて撮像されることにより取得された第２画像に基づいて前記服用対象としている薬が服用すべき薬か否かを判定する判定手段と、
を備えたことを特徴とする管理装置。
【請求項２】
前記表示制御手段は、前記第２画像が取得された際は前記第２画像を前記第１画像に並べて表示させることを特徴とする請求項１に記載の薬管理装置。
【請求項３】
前記判定手段は、前記第２画像に基づいて前記服用対象としている薬として種類と用量が前記服用すべき薬と一致しているか否かを判定することを特徴とする請求項１または２に記載の管理装置。
【請求項４】
コンピュータを、
予め登録されている服用スケジュールに基づいて所定のタイミングで該タイミングに対応した時間にユーザが服用すべき薬を示す第１画像を、所定の撮像指示情報とともに表示させる表示制御手段、
前記表示制御手段により表示された撮像指示情報に応じて撮像されることにより取得された第２画像に基づいて前記服用対象としている薬が服用すべき薬か否かを判定する判定手段、
として機能させることを特徴とするプログラム。